(57)【要約】【課題】藻類生成作用によって植物工場ユニットなどからの使用済み植物培養液を清浄化するに際して、使用済み植物培養液からの生成藻類の分離回収を、手間少なく低コストにて遂行することができる、使用済み植物培養液の処理方法を提供する。【解決手段】送出し用ロール７と巻取り用ロール８との間を延びる長尺帯状捕獲膜９の部分を、容器６内に収容した使用済み植物培養液５中に沈めた状態にし、該容器６内の使用済み植物培養液５を増殖液として藻類１１を生成した後、ロール７，８を回転させて長尺帯状捕獲膜９を増殖液５の液面よりも上方に位置させ生成藻類１１を増殖液５から分離させて長尺帯状捕獲膜９に捕獲し、しかる後、長尺帯状捕獲膜９の藻類捕獲部分を巻取り用ロール８に巻き取っていくことを繰り返して、長尺帯状捕獲膜９で生成藻類１１の捕獲を複数回行う。【選択図】      図１
2012249611.tif 000002
【特許請求の範囲】
【請求項１】
使用済み植物培養液を収容する容器と、
前記容器に収容される使用済み植物培養液の液面よりも上方に位置して互いに間隔をおき、平行に設けられた送出し用ロール及び巻取り用ロールと、
送出し用ロールに巻き付けられ、巻取り用ロールに巻取り可能に連結された藻類捕獲用の透液性を備えた長尺帯状膜と
が備えられ、該長尺帯状捕獲膜を、送出し用ロールから送り出し、巻取り用ロールに巻き取っていくことができるようになされた処理装置を用い、
送出し用ロールと巻取り用ロールとの間を延びる長尺帯状捕獲膜部分を、容器内に収容した使用済み植物培養液中に沈めた状態にして、該容器内の使用済み植物培養液を増殖液として藻類を生成した後、
いずれか一方又は両方のロールを回転させ、長尺帯状捕獲膜を増殖液の液面よりも上方に位置させることで、生成した藻類を増殖液から分離させて長尺帯状捕獲膜に捕獲し、しかる後、
長尺帯状捕獲膜の藻類捕獲部分を巻取り用ロールに巻き取っていく、ことを繰り返して、前記長尺帯状捕獲膜で生成藻類の捕獲を複数回行うことを特徴とする、使用済み植物培養液の処理方法。
【請求項２】
長尺帯状捕獲膜の藻類捕獲部分は、これを乾燥させた後に、巻取り用ロールに巻き取っていく請求項１に記載の、使用済み植物培養液の処理方法。
【発明の詳細な説明】
【技術分野】
【０００１】
本発明は、使用済み植物培養液の処理方法に関する。
【背景技術】
【０００２】
野菜類や花卉類等の植物を水耕栽培等により工場生産する植物工場では、使用済み植物培養液に含まれる窒素やリンが排水基準を超過してしまうことがあり、また、基準を超えなくとも、下水に放流すると、排水処理場の負荷を大きくしてしまう。
【０００３】
そのような問題に対し、従来より、二階建ての植物工場において、一階で人工光を利用した野菜類等の栽培を行い、二階で太陽光を利用した食用藻の生産を行うようにし、藻の生産に、野菜類等の栽培に使用した使用済み植物培養液を増殖液として使用することで、使用済み植物培養液を清浄化し、それを、野菜類等の栽培に循環利用するか、あるいは、下水に放出するという方法が提案されている。
【先行技術文献】
【特許文献】
【０００４】
【特許文献１】特開２００２−０５８３６７号公報
【発明の概要】
【発明が解決しようとする課題】
【０００５】
しかしながら、上記のような方法において、藻を生産した後に、藻と増殖液とを分離しなければならないが、それに多くの手間を必要とし、コストが高くついてしまうという問題があった。
【０００６】
本発明は、上記のような問題点に鑑み、藻類生成作用によって植物工場ユニットなどからの使用済み植物培養液を清浄化するに際して、使用済み植物培養液からの生成藻類の分離回収を、手間少なく低コストにて遂行することができる、使用済み植物培養液の処理方法を提供することを課題とする。
【課題を解決するための手段】
【０００７】
上記の課題は、使用済み植物培養液を収容する容器と、
前記容器に収容される使用済み植物培養液の液面よりも上方に位置して互いに間隔をおき、平行に設けられた送出し用ロール及び巻取り用ロールと、
送出し用ロールに巻き付けられ、巻取り用ロールに巻取り可能に連結された藻類捕獲用の透液性を備えた長尺帯状膜と
が備えられ、該長尺帯状捕獲膜を、送出し用ロールから送り出し、巻取り用ロールに巻き取っていくことができるようになされた処理装置を用い、
送出し用ロールと巻取り用ロールとの間を延びる長尺帯状捕獲膜部分を、容器内に収容した使用済み植物培養液中に沈めた状態にして、該容器内の使用済み植物培養液を増殖液として藻類を生成した後、
いずれか一方又は両方のロールを回転させ、長尺帯状捕獲膜を増殖液の液面よりも上方に位置させることで、生成した藻類を増殖液から分離させて長尺帯状捕獲膜に捕獲し、しかる後、
長尺帯状捕獲膜の藻類捕獲部分を巻取り用ロールに巻き取っていく、ことを繰り返して、前記長尺帯状捕獲膜で生成藻類の捕獲を複数回行うことを特徴とする、使用済み植物培養液の処理方法によって解決される。
【０００８】
この方法によれば、使用済み植物培養液を増殖液として藻類を生成することとしているので、藻類生成作用によって使用済み植物培養液を清浄化することができる。
【０００９】
のみならず、増殖液から藻類を分離するため、上記のような装置を用い、送出し用ロールと巻取り用ロールとの間を延びる長尺帯状捕獲膜部分を、容器内に収容した使用済み植物培養液中に沈めた状態にし、藻類生成後は、いずれか一方又は両方のロールを回転させ、長尺帯状捕獲膜を増殖液の液面よりも上方に位置させて生成した藻類を捕獲し、そして、長尺帯状捕獲膜の藻類捕獲部分を巻取り用ロールに巻き取っていくというようにしており、しかも、それを繰り返して、同じ長尺帯状捕獲膜で生成藻類の捕獲を複数回行うようにしているので、増殖液、即ち使用済み植物培養液からの藻類の分離、回収を、手間少なく低コストにて遂行していくことができる。
【００１０】
第１発明において、長尺帯状捕獲膜の藻類捕獲部分は、これを乾燥させた後に、巻取り用ロールに巻き取っていくとよい（第２発明）。こうすることで、長尺帯状捕獲膜の藻類捕獲部分を巻取り用ロールにコンパクトに巻き取っていくことができる。
【発明の効果】
【００１１】
本発明は、以上のとおりのものであるから、藻類生成作用によって植物工場ユニットなどからの使用済み植物培養液を清浄化するに際して、使用済み植物培養液からの生成藻類の分離回収を、手間少なく低コストにて遂行することができる。
【図面の簡単な説明】
【００１２】
【図１】図（イ）は実施形態のシステムの全体構成を示す説明図、図（ロ）は処理装置の正面図である。
【図２】図（イ）〜図（ハ）は、図３及び図４と共に、処理の方法を順次に示す正面図である。
【図３】図（ニ）〜図（ヘ）は、図２及び図４と共に、処理の方法を順次に示す正面図である。
【図４】図（ト）〜図（リ）は、図２及び図３と共に、処理の方法を順次に示す正面図である。
【発明を実施するための形態】
【００１３】
次に、本発明の実施形態を図面に基づいて説明する。
【００１４】
図１（イ）に示す実施形態において、１は野菜類、花卉類等の植物を水耕栽培等により工場生産する植物工場ユニット、２，２は第１，第２の処理装置、３は水質調整槽であり、植物工場ユニット１での野菜類等の栽培によって生じた、窒素やリンを含む使用済み植物培養液は、第１の処理装置２にホース４で送られて処理された後、第２処理装置２にホース４で送られて処理され、更に、それが水質調整槽３にホース４で送られて該調整槽３にて最終の水質確認が行われ、その後、排水基準を満たした使用済み植物培養液のみが下水に放流されるようになされている。
【００１５】
上記の第１，第２の処理装置２，２が、本発明方法において用いられる処理装置であり、各処理装置２では同じ処理が行われる。即ち、各処理装置２は、図１（ロ）及び図２（イ）〜第４（リ）に示すように、使用済み植物培養液５を収容する透光性の容器６と、該容器６に収容される使用済み植物培養液５の液面よりも上方に位置して互いに間隔をおき、平行に設けられた送出し用ロール７及び巻取り用ロール８と、送出し用ロール７に巻き付けられ、巻取り用ロール８に巻取り可能に連結された、藻類捕獲用の、透液性を備えた、不織布などからなる、長さが例えば１５ｍと長尺な、帯状膜９とを備えていて、かかる長尺帯状捕獲膜９を、送出し用ロール７から送り出し、巻取り用ロール８に巻き取っていくことができるようになされている。各ロール７，８は、手動で回転するようになっていてもよいし、モーターで回転するようになっていてもよい。１０は、透明な蓋である。
【００１６】
この処理装置２を用い、図２（イ）（ロ）に示すように、送出し用ロール７と巻取り用ロール８との間を延びる長尺帯状捕獲膜部分を、容器６内に収容した使用済み植物培養液５中の底面がわに沈めた状態にして、該容器６内の使用済み植物培養液５を藻類増殖液とし、容器６に蓋１０をして一週間ほど放置し、図２（ハ）に示すように、藻類１１を生成する。
【００１７】
その後、図３（ニ）〜（ヘ）に示すように、ロール７，８のうちのいずれか一方又は両方を回転させ、長尺帯状捕獲膜９を増殖液５の液面よりも上方に位置させる。これにより、藻類１１は、長尺帯状捕獲膜９の有する透液性によって、長尺帯状捕獲膜９の上面部に効率良く吸着していき、生成した藻類１１は、増殖液５から分離して長尺帯状捕獲膜９に捕獲される。
【００１８】
捕獲後、長尺帯状捕獲膜９の藻類捕獲部分は、増殖液５の液面よりも上方に位置させたまま数時間ほど放置するなどして乾燥させ、その後、巻取り用ロール８に巻き取っていく。
【００１９】
しかる後、図４（ト）（チ）に示すように、長尺帯状捕獲膜９の藻類捕獲部分を巻取り用ロール８に巻き取って回収し、容器６内の清浄化された増殖液５は、第２処理装置２の容器に送って同じ処理を行い、第１処理装置２では、図４（リ）及び図２（イ）（ロ）に示すように、植物工場ユニット１からの次の使用済み植物培養液５を容器６に送り込んで、処理を繰り返し、長尺帯状捕獲膜９で生成藻類１１の捕獲を複数回行っていく。こうして、長尺帯状捕獲膜９が使い果たされたなら、使用済みの長尺帯状捕獲膜は回収して、新たな長尺帯状捕獲膜をセットして、上記の処理を繰り返していく。
【００２０】
このように、上記の処理方法によれば、使用済み植物培養液５を増殖液として藻類１１を生成することとしているので、藻類生成作用によって使用済み植物培養液５を清浄化することができ、それを、下水に放流することができ、放流しても排水処理場の負荷を大きくすることはなく、また、野菜類等の栽培に循環利用するようにすることもできる。
【００２１】
そして、増殖液５から藻類１１を分離するため、上記のような処理装置２を用い、送出し用ロール７と巻取り用ロール８との間を延びる長尺帯状捕獲膜部分を、容器６内に収容した使用済み植物培養液５中に沈めた状態にし、藻類１１の生成後は、ロール７，８のうちのいずれか一方又は両方の回転させ、長尺帯状捕獲膜９を増殖液５の液面よりも上方に位置させて生成した藻類１１を捕獲し、そして、長尺帯状捕獲膜９の藻類捕獲部分を巻取り用ロール８に巻き取っていくというようにしており、しかも、それを繰り返して、同じ長尺帯状捕獲膜９で生成藻類１１の捕獲を複数回行うようにしているので、増殖液、即ち使用済み植物培養液５からの藻類１１の分離、回収を、手間少なく低コストにて遂行していくことができる。
【００２２】
また、長尺帯状捕獲膜９の藻類捕獲部分は、巻取り用ロール８に巻き取る前に、数時間放置するなどして乾燥させた後に、巻取り用ロール８に巻き取っていくようにしているので、長尺帯状捕獲膜９の藻類捕獲部分を巻取り用ロール８にコンパクトに巻き取っていくことができる。
【符号の説明】
【００２３】
１…植物工場ユニット
２…処理装置
５…使用済み植物培養液（増殖液）
６…容器
７…送出し用ロール 
８…巻取り用ロール
９…長尺帯状捕獲膜
１１…藻類
【図１】
2012249611.tif 000003
【図２】
2012249611.tif 000004
【図３】
2012249611.tif 000005
【図４】
2012249611.tif 000006